(57)【特許請求の範囲】
【請求項１】
筒状部を有する電極が、前記電極の周囲に複数個配置された絶縁支持体に複数の電極サポートによって固定された陰極線管用電子銃構体であって、前記電極サポートが前記電極の周囲に装着されたリング部材に固定されており、
前記電極サポートは、前記絶縁支持体に固着される２枚の板からなる絶縁支持体固着部と、前記絶縁支持体固着部からそれぞれステムリード方向に延びるステムリード接続部と、前記絶縁支持体固着部を蛍光体スクリーン面側で前記筒状部の近傍から前記絶縁支持体側の端部にわたって連結するブリッジ部とからなり、
前記絶縁支持体固着部と前記ブリッジ部との接続箇所がなめらかな曲面で形成され、
前記絶縁支持体固着部と前記ブリッジ部は、前記絶縁支持体側の端部の全体にわたって前記絶縁支持体内に埋没していることを特徴とする陰極線管用電子銃構体。
【請求項２】
前記電極サポートは、板状体を曲げ加工することにより、前記絶縁支持体固着部と前記ブリッジ部と前記ステムリード接続部とを一体に成形したものである請求項１に記載の陰極線管用電子銃構体。
【請求項３】
前記電極サポートおよび前記リング部材は、絞り加工および曲げ加工により、１枚の板から一体成形されたものである請求項２に記載の陰極線管用電子銃構体。
【請求項４】
前記電極が制御電極（Ｇ１電極）である請求項１〜３のいずれかに記載の陰極線管用電子銃構体。
【発明の詳細な説明】
【０００１】
【発明の属する技術分野】
本発明は、陰極線管用電子銃構体に関し、特に電極を絶縁支持体にサポートする構造に関するものである。
【０００２】
【従来の技術】
図８は、従来の投射型陰極線管に用いられる電子銃構体を示す。電子銃構体１は、ヒータ２からの熱を受けて熱電子を放出する陰極３、制御電極であるＧ１電極４、加速電極であるＧ２電極５、第１集束電極であるＧ３電極６、第２集束電極であるＧ４電極７、陽極電極であるＧ５電極８が順次配列され、各電極の一部分が２本の絶縁支持体９（マルチフォームロッド）にそれぞれ埋め込まれて固定されたものであり、陰極線管のネック部（図示せず）内に装着される。各電極はステムリード１１から給電されて、陰極３〜Ｇ５電極８により形成される電界の作用により、電子ビームを制御、加速、集束して陰極線管の蛍光体スクリーン面（図示せず）に到達させる。
【０００３】
図９は、Ｇ１電極４および電極サポート１２を拡大して示す。電極サポート１２は、断面形状がコの字状、あるいは２枚の平板が対向配置され溶接固定された構造となっており、絶縁支持体９に固着される２枚の板からなる絶縁支持体固着部１４と、２枚の板からそれぞれステムリード１１方向に延びるステムリード接続部１５と、２枚の板をＧ１電極４側で連結しＧ１電極４に固定するブリッジ部１６とからなる。
【０００４】
【発明が解決しようとする課題】
このような構造では、Ｇ１電極４をはさんで両側に配置されている２個の電極サポート１２の溶接位置の相互のズレが生じやすく、精度よく組み立てることが容易ではない。また、陰極線管を動作した場合にＧ１電極４の温度は約２００〔℃〕まで上昇するため、Ｇ１電極４に熱変形が生じやすく、電子銃としての性能が低下する。さらに、電極サポート１２の絶縁支持体固着部１４の蛍光体スクリーン面側のエッジ部に電界が集中して放電が起こりやすいという問題もある。
【０００５】
本発明は、このような課題を解決するものであり、電極サポートとＧ１電極との組立を高精度かつ容易に行うことができ、陰極線管動作中の熱によるＧ１電極の変形や、電極サポートへの電界集中を防止できる陰極線管用電子銃構体を提供することを目的とする。
【０００６】
【課題を解決するための手段】
本発明の陰極線管用電子銃構体は、筒状部を有する電極が、前記電極の周囲に複数個配置された絶縁支持体に複数の電極サポートによって固定された陰極線管用電子銃構体であって、前記電極サポートが前記電極の周囲に装着されたリング部材に固定されており、前記電極サポートは、前記絶縁支持体に固着される２枚の板からなる絶縁支持体固着部と、前記絶縁支持体固着部からそれぞれステムリード方向に延びるステムリード接続部と、前記絶縁支持体固着部を蛍光体スクリーン面側で前記筒状部の近傍から前記絶縁支持体側の端部にわたって連結するブリッジ部とからなり、前記絶縁支持体固着部と前記ブリッジ部との接続箇所がなめらかな曲面で形成され、前記絶縁支持体固着部と前記ブリッジ部は、前記絶縁支持体側の端部の全体にわたって前記絶縁支持体内に埋没していることを特徴とする（請求項１）。この構成によれば、複数の電極サポートをリング部材にあらかじめ固定しておいて電極に装着することができるので、電極サポートの固定位置のズレを防止することができ、電極と絶縁支持体とを精度よく組み立てることができる。また、リング部材が電極を補強するので、陰極線管動作時の電極の熱変形を低減することができる。
【０００７】
また、絶縁支持体固着部の蛍光体スクリーン面側のエッジ部をなくすことができ、平面状のブリッジ部が高電圧側の電極に対向するので、電極サポート近傍の電界集中ならびに電極サポートと高電圧側の電極との間の絶縁破壊を防止することができる。また、絶縁支持体固着部とブリッジ部との接続箇所をなめらかな曲面で形成することにより、電界集中と絶縁破壊をより確実に防止できる。さらに、絶縁支持体固着部とブリッジ部の絶縁支持体側の端部のエッジ部全体が絶縁支持体内に埋没していて露出することがないため、電極サポート近傍の電界集中ならびに電極サポートと高電圧側の電極との間の絶縁破壊をよりいっそう効果的に防止することができる。
【０００８】
また、請求項１に記載のものにおいて、前記電極サポートは、板状体を曲げ加工することにより、前記絶縁支持体固着部と前記ブリッジ部と前記ステムリード接続部とを一体に成形したものであることが好ましい（請求項２）。この構成により、絶縁支持体固着部とブリッジ部との接続箇所をなめらかな曲面で形成することができ、電界集中と絶縁破壊をより確実に防止できる。また、電極サポートの製造が容易である。
【０００９】
また、請求項２に記載のものにおいて、前記電極サポートおよび前記リング部材とは、絞り加工および曲げ加工により、１枚の板から一体成形されたものであることが好ましい（請求項３）。この構成により、電極サポートを電極にリング部材を介して強固に固定することができる。
【００１０】
また、請求項１〜３のいずれかに記載のものにおいて、前記電極が制御電極（Ｇ１電極）であることが好ましい（請求項４）。この構成により、Ｇ１電極に電極サポートを介してステムリードから所定の電圧を印加できる。
【００１１】
【発明の実施の形態】
図１は、本発明の陰極線管用電子銃構体のうち、Ｇ１電極４付近を拡大して示すものである。電子銃構体１は、カップ状のＧ１電極４が、Ｇ１電極４の周囲に配置された２本の絶縁支持体９に２個の電極サポート１２によって固定されている。Ｇ１電極４の周囲には、はちまき状のリング部材１３が溶接されており、このリング部材１３に電極サポート１２が溶接される。
【００１２】
図２〜４は、Ｇ１電極４に電極サポート１２が固定されている様子を三方向から拡大して示すものである。電極サポート１２は、絶縁支持体９（破線で示す）に固着される２枚の板からなる絶縁支持体固着部１４と、この２枚の絶縁支持体固着部１４からそれぞれステムリード（図示せず）方向に延びるステムリード接続部１５と、２枚の絶縁支持体固着部１４を蛍光体スクリーン面側で連結するとともに絶縁支持体９に固着されるブリッジ部１６とからなる。電極サポート１２はリング部材１３の所定の位置にあらかじめ固定された後Ｇ１電極４に装着される。このため、電極サポート１２のＧ１電極４への固定位置のズレを防止することができ、Ｇ１電極４と絶縁支持体９とを精度よく組み立てることができる。また、リング部材１３の内面全体がＧ１電極４外周面と接触しているので、電極サポート１２がＧ１電極４と強固に固定される。
【００１３】
本実施の形態の電極サポート１２とリング部材１３とは、絞り加工および曲げ加工により、１枚の板から一体成形されたものである。このうち電極サポート１２の部分は、絶縁支持体固着部１４とブリッジ部１６とステムリード接続部１５とが曲げ加工により一体に成形されている。このため、絶縁支持体固着部１４とブリッジ部１６との接続箇所がなめらかな曲面で形成され、蛍光体スクリーン面側に絶縁支持体固着部１４のエッジ部が露出することがなく、平面状のブリッジ部１６がＧ２電極５に対向するので、電極サポート１２近傍の電界集中ならびに電極サポート１２とＧ２電極５等との間の絶縁破壊を防止することができる。
【００１４】
電極サポート１２の絶縁支持体固着部１４およびブリッジ部１６には、それぞれ切欠きが設けられており、絶縁支持体９との固定を強固なものとしている。また、ステムリード接続部１５は、ステムリードとの接続を容易にするため、先端側で間隔が拡げられている。
【００１５】
次に、本発明を投写型陰極線管に適用し、その効果を確認した実験例を示す。図５は、Ｇ１電極とＧ２電極との同軸度を、従来例（図８、９）と本発明とで比較して示すものである。ここにＧ１電極とＧ２電極との同軸度とは、Ｇ１電極の電子ビーム通過孔の中心と、Ｇ２電極の対応する電子ビーム通過孔の中心との間の距離（ズレ）をいう。図５に示すように、従来例ではＧ１−Ｇ２同軸度が平均１０．９６〔μｍ〕、ばらつきがσ＝４．０１〔μｍ〕であるのに対し、本発明では同軸度の平均が８．１１〔μｍ〕、ばらつきσ＝２．８３〔μｍ〕とそれぞれ改善されている。これは、Ｇ１電極と電極サポートとの組立精度が向上しているためである。
【００１６】
図６は、蛍光体スクリーン面上での電子ビームスポットの真円率を従来例と本発明とで比較して示す。ここに真円率とは、蛍光体スクリーン面中心部における電子ビームスポットの最大径と最小径との比をいい、１００〔％〕のとき真円であることを示す。図６に示すように、従来例では真円率の平均が７６．５〔％〕、ばらつきがσ＝１０．８〔％〕であるのに対し、本発明では真円率の平均が８６．０〔％〕、ばらつきがσ＝７．２〔％〕とそれぞれ改善されていることがわかる。これは、Ｇ１電極と電極サポートとの組立精度が向上したのに加えて、電極サポートとＧ１電極との固定の強度が向上し、電子銃の動作中の熱変形が低減されたためである。
【００１７】
図７は、蛍光体スクリーン面上での電子ビームスポットのコアとヘイズとの同軸度を、従来例と本発明とで比較して示すものである。ここに、コアとヘイズとの同軸度とは、コアの仮想中心とヘイズの仮想中心との間の距離（ズレ）をいう。図７に示すように、従来例では同軸度の平均が０．１７５〔ｍｍ〕、ばらつきがσ＝０．０４４〔ｍｍ〕であるのに対し、本発明では同軸度の平均が０．１１４〔ｍｍ〕、ばらつきがσ＝０．０４０〔ｍｍ〕とそれぞれ改善されている。これは、Ｇ１電極と電極サポートとの組立精度が向上しているためである。
【００１８】
以上、本発明を投射型陰極線管に適用した例について説明したが、本発明はカラー陰極線管等の陰極線管にも適用できるものである。また、Ｇ１電極以外の保持にも適用できるものである。
【００１９】
【発明の効果】
以上説明したように本発明は、電極サポートとＧ１電極との組立を高精度かつ容易に行うことができ、陰極線管動作中の熱によるＧ１電極の変形や、電極サポートへの電界集中を防止できる陰極線管用電子銃構体を提供することができるものである。
【図面の簡単な説明】
【図１】本発明の電子銃構体の要部拡大図
【図２】本発明に係る電極サポートおよびＧ１電極の正面図
【図３】同じく電極サポートおよびＧ１電極の平面図
【図４】同じく電極サポートおよびＧ１電極の側面図
【図５】Ｇ１−Ｇ２同軸度を従来例と本発明とで比較して示す図
【図６】ビームスポットの真円度を従来例と本発明とで比較して示す図
【図７】コア−ヘイズ同軸度を従来例と本発明とで比較して示す図
【図８】従来の電子銃構体を示す図
【図９】従来の電極サポートおよびＧ１電極の正面図
【符号の説明】
１  電子銃構体
４  Ｇ１電極
９  絶縁支持体
１０  ステム
１１  ステムリード
１２  電極サポート
１３  リング部材
１４  絶縁支持体固着部
１５  ステムリード接続部
１６  ブリッジ部
【図１】
0003584763.tif 000002
【図２】
0003584763.tif 000003
【図３】
0003584763.tif 000004
【図４】
0003584763.tif 000005
【図５】
0003584763.tif 000006
【図６】
0003584763.tif 000007
【図７】
0003584763.tif 000008
【図８】
0003584763.tif 000009
【図９】
0003584763.tif 000010